(57)【要約】【課題】複数のパズル片の組み合わせが捻じ曲げ力によっても分離することが無く、曲面を含む複雑でバリエーションに富んだ組み立体が自由に製作可能なシート状パズル玩具を提供する。【解決手段】パズル片の形状において、略多角形の本体部分7の外周に つまみ状のタブ8が並び、前記タブ8が略多角形7と接する箇所に 略多角形7の辺に沿ってタブ8の両側からタブの中心方向へ1/4Wを目安とした長さの切れ込み9を構成し、タブの位置を略多角形の辺の中心から1/2Wずらすことによって、複数のパズル片の結合時に本体略多角形同士の頂点が接する形状とした。結合手段において、パズル片同士がタブ8と切れ込み9が交互に嵌合することにより、捻じ曲げ力に対し強く結合し、かつ、取り外し可能に結合する。パズル片の素材において柔軟なシート状素材を採用することで、パズル片を折り曲げての使用や、複数のパズル片で作成した平面や立体を折り曲げての使用を可能とした。【選択図】図２
2019170426.tif 000002
【特許請求の範囲】
【請求項１】
複数の脱着自在なパズル片からなるシート状パズル玩具であって、前記パズル片は折り曲げ変形が可能であり、当該パズル片は略多角形の本体部分と 略多角形の辺に突出したつまみ状のタブで構成され、前記タブは 略多角形の辺にタブ同士が隣接しながら連続し、タブが多角形の本体部分と接続する箇所は本体多角形の辺に沿って一定長さの切れ込みを備え、複数のパズル片同士はつまみ状のタブと切れ込みが交互に嵌合することにより結合することを特徴とするシート状パズル玩具。なお、本発明における略多角形とは、三角形、四角形などの多角形および円、楕円などを含む。
【請求項２】
前記シートパズル玩具において、本体略多角形の辺上に連続するタブが中心位置からタブの幅の1/2だけずれているため、複数のパズル片の結合時に略多角形同士の頂点が接することを特徴とする請求項1記載のシート状パズル玩具。
【請求項３】
前記シートパズル玩具において、本体略多角形の辺上に連続するタブの形状がタブの幅を直径とする円であること特徴とする請求項1から2いずれかに記載のシート状パズル玩具。
【発明の詳細な説明】
【技術分野】
【０００１】
本発明は、折り曲げ可能なシートを素材とし、つまみ状タブを有するパズル片を複数結合し、平面および多面体、曲面を持つ立体を自由に組立てることが可能なシート状パズル玩具に関する。
【背景技術】
【０００２】
多数の部品を組み合わせ造形物を作る平版状のパズルが種々提案されている。 従来の紙製立体クラフトパズルは 予め完成品の部品が用意されており、説明通りに組み立てるものである。また、従来のパズル玩具のパズル片の結合方法として凹部に凸部を嵌めこむ方法や 鉤爪形状の突出部を引っ掛ける方法がある。
【先行技術文献】
【特許文献】
【０００３】
【特許文献１】特開平9-290072
【特許文献２】特許番号2716338号
【特許文献３】特許番号4232860号
【特許文献４】特開2013-240398
【発明の概要】
【発明が解決しようとする課題】
【０００４】
従来のプラスチックス素材等を用いたパズル玩具は硬い材質であることが多く、幼児がぶつけたり踏んだりすると怪我をする危険性がある。また、従来のプラスチックス素材等を用いたパズル玩具は厚みがあるため嵩張り、数が増えると収納が難しい。
【０００５】
紙などを素材としたシート状のパズルは軽くて柔軟なため、幼児がぶつけて怪我をする心配が無く 収納時にも嵩張らないが、立体ペーパークラフトなど従来のシート状素材を材料としたクラフトパズルは 予め完成品の部品が用意されており、説明通りに組み立てるものであるため 作り手の創意工夫の余地が乏しい。
【０００６】
パズル片の素材において 一般的なパズル玩具は パズル片が硬い素材で出来ているためパズル片を自由に折り曲げて造形するということが出来ない。
そのため、特許文献1、特許文献2、特許文献3、特許文献4に見られるように多角形のパズル片が折り曲げ不可能な素材の場合、組み立てる立体が多角形の集合である抽象的な多面体になり、曲面を有する具象的な立体表現が困難である。
【０００７】
特許文献1、特許文献2、特許文献3、特許文献4にみられるパズル玩具は 組み上がった後に 任意の箇所の ひとつのパズル片を取り外すには ほぼ全体を解体する必要があり、造形の際に組み上がった後の任意の箇所のパズル片の脱着を繰り返すといった試行錯誤をすることが 困難である。
【０００８】
パズル片同士の結合方法において、特許文献2や ジグソーパズルに代表される 凹部と凸部をはめ込む方法は パズル片の組み合わせで出来た平面に垂直方向へ押す力が加わるとパズル片の結合が簡単に外れてしまう。そのため、パズル片の組み合わせで出来た平面をねじるといった複雑な造形が不可能であり、造形製作のバリエーションに限りがある。
【０００９】
特許文献3のように パズル片同士を鉤爪状の突出部で引っ掛ける結合方法はパズル片の組み合わせで出来た平面へ垂直方向に押す力がかかっても外れにくいが、鉤爪状の突出部が噛み合う方向とは逆の力がかかると外れ易い。
【課題を解決するための手段】
【００１０】
本発明のシート状パズル玩具は、複数の脱着自在なパズル片からなるシート状パズル玩具であって、前記パズル片は折り曲げ変形が可能であり、前記パズル片は略多角形の本体部分と 略多角形の辺から突出したつまみ状のタブで構成され、前記タブは 略多角形の辺にタブ同士が隣接しながら連続し、タブが多角形の本体部分と接続する箇所は本体多角形の辺に沿って一定長さの切れ込みを備え、複数のパズル片同士はつまみ状のタブと切れ込みが交互に嵌合することにより結合することを特徴とする。なお、本発明における略多角形とは、三角形、四角形などの多角形および円、楕円などを含む。
【発明の効果】
【００１１】
本発明は平版なシート状であるため 収納性にも優れており、軽量で柔軟な素材のため安全性が高く、幼児が安心して遊ぶことの出来るシート状パズル玩具を提供することが出来る。
【００１２】
本発明によれば、 結合した複数のパズル片の組み合わせで出来た平面を引っ張る力が加わっても外れにくく、かつ、パズル片の組み合わせで出来た平面に垂直方向の力が加わっても外れにくいため、捻じ曲げ力がかかる曲面を持つ立体造形物が製作可能なシート状パズル玩具を提供することが出来る。
【００１３】
本発明によれば、複数のパズル片の結合がタブと切れ込み部分を交互に嵌め合わせる簡単な作業で可能であり、作品が組み上がった後に作品の任意のパズル片を一部分だけ取り外すことも可能であるため、試行錯誤しながらの創意工夫が可能なシート状パズル玩具を提供することが出来る。
【００１４】
本発明は、パズル片の素材が柔軟かつ折り曲げ可能なシート状素材であるため、パズル片を折り曲げての使用や、複数のパズル片で作成した平面や立体を折り曲げての使用が可能であり、複雑でバリエーションに富んだ作品が製作可能なシート状パズル玩具を提供することが出来る。
【図面の簡単な説明】
【００１５】
【図１】本発明に係る結合方法を説明する写真。
【図２】本発明に係る本体が正方形タイプのパズル片の平面図。
【図３】本発明に係る本体が長方形タイプのパズル片の平面図。
【図４】本発明に係る本体が正三角形タイプのパズル片の平面図。
【図５】パズル片の複数の結合例を示す写真。
【図６】パズル片の複数の結合から一部のパズル片を脱着した例を示す写真。
【図７】パズル片の折り曲げによる変形例を示す写真。
【図８】パズル片の折り曲げによる変形例を示す写真。
【図９】作例を示す写真。
【図１０】作例を示す写真。
【図１１】作例を示す写真。
【図１２】作例を示す写真。
【図１３】作例を示す写真。
【図１４】作例を示す写真。
【発明を実施するための形態】
【００１６】
以下、図面を参照して本発明の実施例について説明する。各図で同一番号のものは同じ内容を示す。なお、本発明の実施の形態は、本実施例に限定されるものではない。
【実施例】
【００１７】
パズル片は 折り曲げ可能な柔軟なシート状の素材から成り、略多角形の本体部分と略多角形の辺に連続して並ぶつまみ状のタブで構成される。図1はパズル片の結合の仕組みを説明するものである。
【００１８】
図1（a）において、1を本体略多角形部分とし、2を本体の辺に連続して並ぶつまみ状のタブとする。タブの幅3の寸法をWとした場合、タブが本体部分と接続する箇所で本体部分の辺に沿ってタブの両側からタブの中心方向へ長さ1/4Wの切れ込み4を設けた。本実施例では切れ込みの長さを1/4Ｗとしたがこれに限定されるものではなく、切れ込みの長さはＷに対して25％以上35％以下の範囲を目安とする。切れ込みが長すぎるとタブの強度が低下するのに加え、結合の際にずれが生じやすくなる。
【００１９】
5で示すタブの長さをLとした場合、素材が柔軟なシート状であることから 本実施例ではタブの強度を確保するため L＝Wとした。本実施例では L＝WとしたがＬの長さはこれに限定されるものではなく任意で設定される。Ｌが短すぎるとタブの強度が低下し、パズル片の結合が難しくなる。
【００２０】
2枚のパズル片の結合方法は、図1（b）に示すように 2枚のパズル片を タブが連続している略多角形の辺に沿ってお互いが6で示す距離すなわち1/2Ｗだけずれる様に重ねると、一方のパズル片のタブの位置と もう一方のパズル片の切れ込みの位置が揃うため、一方のパズル片のタブをもう一方のパズル片の切れ込みに紙をめくる要領で嵌め合わせていく。前記の結合方法により図1（ｃ）に示すように2枚のパズル辺同士が結合する。
【００２１】
図1（ｄ）は結合されたパズル片を開いた様子を示す図である。このとき 重なり合うタブが見えている面を表面とした場合、裏面の結合部は図1（e）に示すようにタブが見えず縫い合わされたような仕上がりになる。
【００２２】
図1の内容を踏まえて 図2、図3、図4のパズル片を作成した。 図2、図3、図4の実施例で タブ8、11、14を円形としたのは タブを切れ込みに嵌め合わせる際に 指でつまむ動作がやり易いためであり、デザインによっては他のタブ形状も考えられる。
【００２３】
図2、図3、図4のそれぞれの実施例において、タブの形状は タブの幅Wを直径とする円であり、円形のタブと本体略多角形は本体略多角形の辺に直角に交わる円形のタブの直径を中心に1/2Wの幅で接続している。
また、連続するタブの位置を本体略多角形の辺の中心から1/2Wずらすことによって、複数のパズル片の結合時に本体略多角形同士の頂点が接する設計となっている。
【００２４】
図2（a）は 正方形タイプのパズル片の平面形状を示す図である。正方形タイプのパズル片は、本体正方形7の辺に タブ8が並び、タブ8が本体正方形7と接続する箇所の両脇に 本体正方形7の辺に沿ってタブ8の両側からタブの中心方向へ長さ1/4Wの切れ込み9を構成する。また、この実施例では 各辺のタブの数を3ずつとしたが、正方形タイプのパズル片の形状としてはこの限りではない。図2（ｂ）は、正方形タイプのパズル片2枚の結合を示す写真である。
【００２５】
図3（a）は 長方形タイプのパズル片の平面形状を示す図である。 長方形タイプのパズル片は、本体長方形10の辺に タブ11が並び、タブ11が本体長方形10と接続する箇所の両脇に 本体長方形10の辺に沿ってタブ11の両側からタブの中心方向へ長さ1/4Wの切れ込み12を構成する。また、この実施例では 2辺のタブの数を3、残りの2辺のタブの数を4としたが 長方形タイプのパズル片の形状としてはこの限りではない。図3（ｂ）は、長方形タイプのパズル片2枚の結合を示す写真である。
【００２６】
図4（a）は 正三角形タイプのパズル片の平面形状を示す図である。正三角形タイプのパズル片は、本体正三角形13の辺に タブ14が並び、タブ14が本体正三角形13と接続する箇所の両脇に 本体正三角形13の辺に沿ってタブ14の両側からタブの中心方向へ長さ1/4Wの切れ込み15を構成する。また、この実施例では 各辺のタブの数を4ずつとしたが 正三角形タイプのパズル片の形状としてはこの限りではない。図4（ｂ）は、正三角形タイプのパズル片2枚の結合を示す写真である。
【００２７】
図5は、実施例に係るパズル片の複数の結合例を示す写真である。
図5（a）は タブが見える結合例を示し、図5（b)は 図5（a）と同じパズル片を使用したタブを見せない結合例を示す。 このような つまみ状のタブを見せるか見せないかの選択も 組み立てる造形物のデザインに合わせて考えられる。
【００２８】
図6は、実施例に係るパズル片の脱着の例を示す写真である。図6（a）は、図5（a)の結合例から任意のパズル片を取り外したことを示している。また図6（b）はパズル片を外した後の空白に別のパズル片を嵌めたことを示している。このように、本発明は造形が組み上がった後にも 全体を解体することなく一部分のみ取り外しできるので、造形の際の試行錯誤が容易である。
【００２９】
図7は、実施例に係るパズル片の折り曲げによるパズル片の変形例を示す写真である。パズル片は柔軟で折り曲げ可能なシート素材のため、パズル片の一部を折り畳み タブを重ね合わせることで パズル片の形状を変化させることが出来る。図7は、実施例の長方形タイプおよび正方形タイプのパズル片を折り畳むことで本体部分を台形に変化させ、結合に係る一辺のタブの実質数を減らした組み合わせを示す。このように、形状を変化させたパズル片を組み合われば様々な角度を持つ立体の造形が可能になる。
【００３０】
図８は、実施例に係るパズル片の折り曲げによる変形例を示す写真である。パズル片は柔軟で折り曲げ可能なシート素材のため、パズル片を折り紙のように折り曲げて別の形状を作り出すことが出来る。このことは、造形のバリエーションの自由度を増す。
【００３１】
図９は、実施例に係るパズル片による多面体の作例を示す写真である。パズル片は柔軟なシート素材であるが、結合部分は複数のパズル片の重なりとなるため、結合部分をなす辺の強度が増す。すなわち、立体造形において 結合部分が骨組みのような役割を果たすため立体造形の形状が保たれる。このように、実施例のパズル片を単純に組み合わせることで、様々な多面体を容易に組み立てることが出来る。
【００３２】
図１０は、実施例に係るパズル片による曲面を持つ立体造形の作例を示す写真である。パズル片が柔軟なシート素材であり、結合部分が ねじ曲げ力に耐えるため、実現可能な造形である。
【００３３】
図１１は、実施例に係るパズル片による鳥の作例を示す写真である。タブを見せる結合方法で羽の重なりを表現し、タブを隠す結合方法とパズル片の折り曲げを併用してくちばしの鋭さを表現している。
【００３４】
図12は、実施例に係るパズル片による怪獣の作例を示す写真である。タブを見せる結合方法とタブを隠す結合方法を併用して怪獣の質感を表現している。また、折り畳んで変形したパズル片を多用して、尻尾部分の徐々に細くなっていく造形を実現している。
【００３５】
図13は、実施例に係るパズル片によるイヌの動物キャラクターの作例を示す写真である。この作例はタブを隠す結合方法を採用することにより布を縫い合わせて作成したような質感の造形物となっている。
【００３６】
図14は、実施例に係るパズル片によるクッションの作例を示す写真である。パズル片は柔軟なシート素材のため、布の代用品としての活用も可能である。作例のように、布を縫製したような作品を作成することが出来る。
なお、実施例ではパズル片の素材として 破れにくくしなやかさを備えた不織布素材の紙を使用したが、その他にも 和紙や合成紙などの紙素材や、フェルトなどの布素材、ビニールシートなどの合成樹脂素材、プラスチック板、金属の薄板など様々な素材が考えられる。
【００３７】
以上のように、本発明によるシート状パズル玩具を用いることで、従来のパズル玩具では考えられなかった多様な作品を作成することが可能である。そして、どの作例も 解体して組み立て前のパズル片の状態に戻すことが出来るので、収納や持ち運びに優れており、何度も繰り返し遊ぶことが出来る。
【符号の説明】
【００３８】
1・・・本体略多角形    
2・・・タブ
3・・・タブの幅W    
4・・・切り込み      
5・・・タブの長さL
6・・・パズル片同士のずれ寸法1/2Ｗ    
7・・・本体正方形        
8・・・タブ
9・・・切り込み    
10・・・本体長方形
11・・・タブ        
12・・・切り込み          
13・・・本体正三角形      
14・・・タブ
15・・・切り込み
【図１】
2019170426.tif 000003
【図２】
2019170426.tif 000004
【図３】
2019170426.tif 000005
【図４】
2019170426.tif 000006
【図５】
2019170426.tif 000007
【図６】
2019170426.tif 000008
【図７】
2019170426.tif 000009
【図８】
2019170426.tif 000010
【図９】
2019170426.tif 000011
【図１０】
2019170426.tif 000012
【図１１】
2019170426.tif 000013
【図１２】
2019170426.tif 000014
【図１３】
2019170426.tif 000015
【図１４】
2019170426.tif 000016